(57)【特許請求の範囲】
【請求項１】
建物本体内の所定の箇所に配置された防音室の防音構造であって、
前記建物本体は、略直方体状に形成された複数の第一建物ユニットによって構築されており、
前記防音室は、前記第一建物ユニットの内側に設けることが可能なサイズの略直方体状に形成された少なくとも一つの第二建物ユニットの内側に構成されており、
前記防音室の周囲には、前記第二建物ユニットによって形成される遮音ラインが設けられており、
前記第一建物ユニットと前記第二建物ユニットには、それぞれ遮音性を有する同じ種類の壁が取り付けられており、
前記第一建物ユニットは、基礎の第一立上がり部に配設されており、
前記第二建物ユニットは、基礎の第二立上がり部に配設されており、
対向する前記第一立上がり部と前記第二立上がり部との間及び対向する前記第二立上がり部間に亘る底部が設けられていることを特徴とする防音構造。
【請求項２】
請求項１に記載の防音構造において、
前記第一建物ユニットの上に積層される上部構造体には、前記第一建物ユニットの天井と対向する位置に遮音性を有する平面材が取り付けられていることを特徴とする防音構造。
【請求項３】
請求項１又は２に記載の防音構造において、
前記第一建物ユニットの天井には、平面視において前記第二建物ユニットの壁の位置に沿うように、遮音性を有する板材が立てられた状態で設けられていることを特徴とする防音構造。
【請求項４】
請求項２を引用する請求項３に記載の防音構造において、
前記板材は、前記第一建物ユニットの天井を構成する天井板と前記上部構造体の前記平面材との間に設けられていることを特徴とする防音構造。
【請求項５】
略直方体状に形成された複数の第一建物ユニットによって構築された建物本体内の所定の箇所に配置され、前記第一建物ユニットの内側に設けることが可能なサイズの略直方体状に形成された少なくとも一つの第二建物ユニットの内側に構成された防音室の防音構造の構築方法であって、
前記第一建物ユニットと前記第二建物ユニットには、それぞれ遮音性を有する同じ種類の壁が予め取り付けられており、
基礎には、対向する立上がり部間に亘る底部が設けられており、
前記第二建物ユニットを、基礎の立上がり部に配設し、
前記第一建物ユニットを、前記第二建物ユニットに被せて設け、前記防音室の周囲に、前記第二建物ユニットによって形成される遮音ラインを設けることを特徴とする防音構造の構築方法。
【発明の詳細な説明】
【技術分野】
【０００１】
本発明は、防音構造及び防音構造の構築方法に係り、建物ユニットを用いた防音構造及び防音構造の構築方法に関する。
【背景技術】
【０００２】
従来、戸建て住宅や集合住宅等において、近隣に迷惑を掛けないように楽器の演奏を可能にするためなど、居住空間内にその空間と区画した防音室を設けることが行われている（例えば、特許文献１参照。）。
【先行技術文献】
【特許文献】
【０００３】
【特許文献１】特開２００１−２０５４６号公報
【発明の概要】
【発明が解決しようとする課題】
【０００４】
しかしながら、上記特許文献１の防音室を設ける場合には、居住空間の床上に防振材を介して四方に防音壁を設置する工程と、その防音壁の上端部間に防音天井を架設する工程と、床上に防音床を敷設する工程とを要するため、その防音室を短期間で施工することが困難であった。
【０００５】
本発明の目的は、容易に施工できる防音構造及び防音構造の構築方法を提供することである。
【課題を解決するための手段】
【０００６】
以上の課題を解決するため、請求項１に記載の発明は、例えば図１〜図６に示すように、
建物本体内の所定の箇所に配置された防音室１ａの防音構造１であって、
前記建物本体は、略直方体状に形成された複数の第一建物ユニット１０によって構築されており、
前記防音室１ａは、前記第一建物ユニット１０の内側に設けることが可能なサイズの略直方体状に形成された少なくとも一つの第二建物ユニット２０の内側に構成されており、
前記防音室１ａの周囲には、前記第二建物ユニット２０によって形成される遮音ラインが設けられており、
前記第一建物ユニット１０と前記第二建物ユニット２０には、それぞれ遮音性を有する同じ種類の壁１１，２１が取り付けられており、
前記第一建物ユニット１０は、基礎１０１の第一立上がり部１１１に配設されており、
前記第二建物ユニット２０は、基礎１０１の第二立上がり部１２１に配設されており、
対向する前記第一立上がり部１１１と前記第二立上がり部１２１との間及び対向する前記第二立上がり部１２１間に亘る底部１０１ａが設けられていることを特徴とする。
【０００７】
請求項１に記載の発明によれば、防音構造１は、第二建物ユニット２０に第一建物ユニット１０を被せた二重構造のユニット式建物１００を構築するようにして容易に施工することができる。
そして、第一建物ユニット１０の内側であって、第二建物ユニット２０の内側に設けられた防音室１ａの周囲には、第二建物ユニット２０によって形成される遮音ラインが設けられる。つまり、第一建物ユニット１０の内側にその第一建物ユニット１０よりも小さなサイズの第二建物ユニット２０を配設してなる防音室１ａの防音構造１によって好適に防音を図ることができる。
また、防音室１ａの四方を、第二建物ユニット２０の壁２１と第一建物ユニット１０の壁１１の二重壁で囲むことができるので、その四方の壁を通じて音が室外に漏れることを防ぐことができる。
また、この防音構造１は、壁２１と壁１１の間につくられる空気層によって音の振動をカットすることができ、優れた防音効果を発揮する。
さらに、防音室１ａの床２３を抜けた音は、立上がり部１２１及び底部１０１ａによって遮断されるようになっており、その音が外に漏れることを防ぐことができる。
【０００８】
請求項２に記載の発明は、例えば図４に示すように、
請求項１に記載の防音構造１において、
前記第一建物ユニット１０の上に積層される上部構造体（例えば上階建物ユニット４０）には、前記第一建物ユニット１０の天井１２と対向する位置に遮音性を有する平面材４１ｂが取り付けられていることを特徴とする。
【０００９】
請求項２に記載の発明によれば、第一建物ユニット１０の上に積層された上階建物ユニット４０には、第一建物ユニット１０の天井１２と対向する位置に遮音性を有する平面材４１ｂを有する床４１が取り付けられているので、防音室１ａの天井２２を抜けた音は、その床４１（平面材４１ｂ）によって遮断されるようになっており、その音が外に漏れることを防ぐことができる。
【００１０】
請求項３に記載の発明は、例えば図４〜図６に示すように、
請求項１又は２に記載の防音構造１において、
前記第一建物ユニット１０の天井１２には、平面視において前記第二建物ユニット２０の壁２１の位置に沿うように、遮音性を有する板材５が立てられた状態で設けられていることを特徴とする。
【００１１】
請求項３に記載の発明によれば、防音室１ａの天井２２を抜けた音は、第一建物ユニット１０の天井１２に設けられた板材５によって遮断されるようになっており、その音が外に漏れることを防ぐことができる。
【００１２】
請求項４に記載の発明は、例えば図４に示すように、
請求項２を引用する請求項３に記載の防音構造１において、
前記板材５は、前記第一建物ユニット１０の天井１２を構成する天井板１２ａと前記上部構造体（例えば上階建物ユニット４０）の前記平面材４１ｂとの間に設けられていることを特徴とする。
【００１４】
請求項５に記載の発明は、例えば図１〜図６に示すように、
略直方体状に形成された複数の第一建物ユニット１０によって構築された建物本体内の所定の箇所に配置され、前記第一建物ユニット１０の内側に設けることが可能なサイズの略直方体状に形成された少なくとも一つの第二建物ユニット２０の内側に構成された防音室１ａの防音構造１の構築方法であって、
前記第一建物ユニット１０と前記第二建物ユニット２０には、それぞれ遮音性を有する同じ種類の壁１１，２１が予め取り付けられており、
基礎１０１には、対向する立上がり部１２１間に亘る底部１０１ａが設けられており、
前記第二建物ユニット２０を、基礎１０１の立上がり部１２１に配設し、
前記第一建物ユニット１０を、前記第二建物ユニット２０に被せて設け、前記防音室１ａの周囲に、前記第二建物ユニット２０によって形成される遮音ラインを設けることを特徴とする。
【００１５】
請求項５に記載の発明によれば、防音構造１は、第二建物ユニット２０に第一建物ユニット１０を被せた二重構造のユニット式建物１００を構築するようにして容易に施工することができる。
そして、第一建物ユニット１０の内側であって、第二建物ユニット２０の内側に設けられた防音室１ａの周囲には、第二建物ユニット２０によって形成される遮音ラインが設けられる。つまり、第一建物ユニット１０の内側にその第一建物ユニット１０よりも小さなサイズの第二建物ユニット２０を配設してなる防音室１ａの防音構造１によって好適に防音を図ることができる。
また、防音室１ａの四方を、第二建物ユニット２０の壁２１と第一建物ユニット１０の壁１１の二重壁で囲むことができるので、その四方の壁を通じて音が室外に漏れることを防ぐことができる。
また、この防音構造１は、壁２１と壁１１の間につくられる空気層によって音の振動をカットすることができ、優れた防音効果を発揮する。
さらに、防音室１ａの床２３を抜けた音は、立上がり部１２１及び底部１０１ａによって遮断されるようになっており、その音が外に漏れることを防ぐことができる。
【発明の効果】
【００１６】
本発明によれば、防音構造を容易に施工できる。
【図面の簡単な説明】
【００１７】
【図１】本実施形態の防音構造を有するユニット式建物に関する説明図である。
【図２】防音構造を有するユニット式建物を上面視して示す説明図である。
【図３】ユニット式建物の防音構造の一部を拡大して示す平面図である。
【図４】図３のIV−IV線における断面図である。
【図５】建物ユニットの天井を示す平面図である。
【図６】天井に取り付ける板材の構造を示す説明図である。
【発明を実施するための形態】
【００１８】
以下、図面を参照して、本発明に係る防音構造の実施形態について詳細に説明する。
【００１９】
図１は、本発明に係る防音構造１を有する建物に関する説明図であり、略直方体状の建物ユニットを複数連結して構築するユニット式建物１００を示している。図２は、そのユニット式建物１００を上面視して示す説明図である。
ユニット式建物１００は、例えば、図１、図２に示すように、略直方体状に形成された複数の第一建物ユニット１０によって構築された建物本体と、その建物本体内の所定箇所に配置された第二建物ユニット２０によって構成される防音室１ａを有している。
つまり、本発明に係る防音構造１は、建物本体を構成する第一建物ユニット１０の内側に、その第一建物ユニット１０よりも小さなサイズの略直方体状に形成された第二建物ユニット２０を配設して防音室１ａを設けたものである。なお、第二建物ユニット２０は、第一建物ユニット１０よりも長手方向及び短手方向に短く、また柱も短いサイズを有する建物ユニットである。
【００２０】
具体的に、このユニット式建物１００は、例えば、図２に示すように、建物本体を構成する階高ユニットである４つの第一建物ユニット１０と、防音室１ａを構成する通常高ユニットである２つの第二建物ユニット２０と、建物本体の一部を構成する階高ユニットである３つの第三建物ユニット３０と、を備えている。第三建物ユニット３０は、第一建物ユニット１０とは長辺方向のサイズが異なる階高ユニットである。なお、階高ユニットは、通常高ユニットよりも長い柱を有する建物ユニットであり、居室の天井高を通常より高くするためや、床レベルを低くするため等に用いられる。
４つの第一建物ユニット１０は、その長辺側の側面同士を対向させるように並設されている。
３つの第三建物ユニット３０は、その長辺側の側面同士を対向させるように並設されており、第三建物ユニット３０の短辺側の側面を、第一建物ユニット１０の短辺側の側面に対向させる向きに配設されている。
２つの第二建物ユニット２０は、第一建物ユニット１０の内側で、その長辺側の側面同士を対向させるように並設されている。この第二建物ユニット２０によってユニット内部に区画された空間が防音室１ａとなる。
また、第一建物ユニット１０上に、建物本体の一部を構成するユニットである上階建物ユニット４０（図４参照）を積層するようにしてもよい。
【００２１】
なお、階高ユニットは輸送制限上限の高さ寸法とされ、通常高ユニットは居住空間を快適に過ごすための高さ寸法となっており、それらを重ねた際の寸法調整として基礎の立上がり部の頭部が切削される。この場合、床段差が生じるので、後述する防振ゴムを用いた２重床にしたり、通常高ユニットの高さを変えて床面を面一にしたりしてもよい。
また、基礎の立上がり部の頭部を切削する高さ調整を行うのであれば、階高ユニット同士を重ねた防音構造を構築することもできる。
【００２２】
これらの建物ユニットは、例えば、長方形の四隅に相当する位置に立設された四本の柱と、隣接する柱の下部を繋ぐ四本の床梁と、隣接する柱の上部を繋ぐ四本の天井梁とを骨組みしてなる箱型のフレームを有する。この箱型のフレームの下面側に床、フレームの上面側に天井、フレームの側面側に壁（例えば、間仕切壁などの内装材や外壁などの外装材）が工場において組み付けられて、略直方体状の建物ユニットが形成される。
工場において製造された建物ユニットは建築現場へ運搬された後、建築現場において基礎１０１上に左右上下に隣接設置されることにより、ユニット式建物１００が構築される。
【００２３】
そして、第一建物ユニット１０には、例えば、図２〜図４に示すように、短辺側の両方の側面と長辺側の一方の側面に壁１１が取り付けられており、長辺側の他方の側面同士を対向させた配置の第一建物ユニット１０が基礎１０１の第一立上がり部１１１に配設されている。この第一建物ユニット１０には、例えば、図４に示すように、天井１２が取り付けられている。
【００２４】
壁１１は、図３、図４に示すように、パネル板１１ａと、縦胴縁１１ｂと、石膏ボード１１ｃ等を備えており、遮音性を有している。また、パネル板１１ａと石膏ボード１１ｃの間には、断熱材が設けられている。なお、屋外に面しているパネル板１１ａは外装材、隣接する建物ユニットに面しているパネル板１１ａは内装材として機能するものである。
パネル板１１ａは、ＰＡＬＣ（Precastable Autoclaved Lightweight Ceramics）などの気泡コンクリート材料からなる。例えば、ＰＡＬＣからなるパネル板１１ａは、厚さ８０ｍｍを有している。
なお、ＰＡＬＣからなるパネル板１１ａではなく、ＡＬＣ（Autoclaved Lightweight Concrete）からなるパネル板１１ａでもよく、また吸音パネルや遮音パネルなどをパネル板１１ａとして設けて、その防音性を高めるようにしてもよい。
【００２５】
天井１２は、図４〜図６に示すように、天井板１２ａと天井野縁１２ｂ等を備えている。また天井１２には断熱材が設けられている。
この天井１２には、第二建物ユニット２０の壁２１に対応する位置に沿うように、遮音性を有する板材５が設けられている。
板材５は、例えば、石膏ボードからなる。この板材５は、第二建物ユニット２０の短辺側の壁２１の位置に対応させて、天井１２の長手方向両側で天井野縁１２ｂと平行に配設された長尺板材５ａと、第二建物ユニット２０の長辺側の壁２１の位置に対応させて、天井野縁１２ｂと直交する向きで天井野縁１２ｂ間に配設された短尺板材５ｂとを備えて構成されている。
図４に示すように、天井１２に設けられている板材５の下端は天井板１２ａに当接しており、また、板材５の上端は後述する上階建物ユニット４０の床４１の平面材４１ｂに当接するようになっている。なお、天井板１２ａを切り欠いたスリットを形成し、そのスリットを貫いた板材５の下端を壁２１の上端に当接させるようにしてもよい。
【００２６】
板材５は、例えば、天井板１２ａと天井２２とに設けられている開口を通じて、天井１２に取り付けられるようになっている。また、後述する上階建物ユニット４０の床４１に設けられている開口を通じて板材５を取り付けるようにしてもよい。この開口は、板材５の取り付け後に閉じられる。また、床板４１ａと平面材４１ｂが取り付けられていない上階建物ユニット４０を載置し、その上階建物ユニット４０側から板材５を取り付けた後に床板４１ａと平面材４１ｂを配設するようにしてもよい。
天井１２には、図４、図５に示すように、ブレースＢが設けられているので、そのブレースＢを避けるように板材５の取り付けが行われる。
板材５は、例えば、図６に示すように、上側に切欠５１が形成されている板材５と、下側に切欠５１が形成されている板材５との２枚１組で構成されている。
そして、ブレースＢを切欠５１内に装入するようにそれぞれの板材５を取り付けた後、板材５の遮音性を維持するように、嵌込材５２で切欠５１を塞ぐようになっている。
なお、第一建物ユニット１０の天井１２（天井板１２ａ）を貫いて、第二建物ユニット２０の壁２１と連続させるように板材５を配設することで、遮音性の向上を図るようにしてもよい。
【００２７】
また、第一建物ユニット１０の内側に設けられている第二建物ユニット２０には、例えば、図２〜図４に示すように、短辺側の両方の側面と長辺側の一方の側面に壁２１が取り付けられており、長辺側の他方の側面同士を対向させた配置の第二建物ユニット２０が基礎１０１の第二立上がり部１２１に配設されている。この第二建物ユニット２０には、例えば、図４に示すように、天井２２と床２３が取り付けられている。
なお、第二立上がり部１２１の下端同士は基礎１０１の底部１０１ａを介して連続している。建物の基礎１０１をベタ基礎とすれば全ての立上がり部（１１１、１２１）に亘って底部１０１ａが連続するので好ましい。布基礎であっても対向する立上がり部間に亘るコンクリート層を設けて連続させるようにすればよい。
【００２８】
壁２１は、図３、図４に示すように、パネル板２１ａと、縦胴縁２１ｂと、石膏ボード２１ｃ等を備えており、遮音性を有している。また、パネル板２１ａと石膏ボード２１ｃの間には、断熱材が設けられている。
この壁２１は、第一建物ユニット１０の壁１１と同じものであり、パネル板２１ａはＰＡＬＣなどの気泡コンクリート材料からなる。なお、ＰＡＬＣからなるパネル板２１ａではなく、ＡＬＣからなるパネル板２１ａでもよく、また吸音パネルや遮音パネルなどをパネル板２１ａとして設けて、その防音性を高めるようにしてもよい。
また、防音室１ａの出入口として、壁２１と壁１１を連通する開口部（図示省略）が設けられており、その開口部には防音ドア等が設けられている。
天井２２は、図４に示すように、天井板２２ａと天井野縁２２ｂ等を備えている。
床２３は、図４に示すように、床板２３ａと床根太２３ｂ等を備えている。なお、床２３は、２枚の床板２３ａを有して２重床とするものであってもよく、２枚の床板２３ａの間に防振ゴム２４を介装させたものであってもよい。
【００２９】
また、第一建物ユニット１０の上には、図４に示すように、上部構造体としての上階建物ユニット４０が積層して配設されている。この上階建物ユニット４０には、第一建物ユニット１０の天井１２と対向する位置に床４１が取り付けられている。
この床４１は、図４に示すように、床板４１ａと、平面材４１ｂと、床根太４１ｃ等を備えている。
平面材４１ｂは、第二建物ユニット２０の天井２２よりも大きい幅寸法、奥行き寸法を有しており、第一建物ユニット１０の天井１２と対向する位置に備えられている。この平面材４１ｂは、ＡＬＣ（Autoclaved Lightweight Concrete）などの気泡コンクリート材料からなる。例えば、ＡＬＣからなる平面材４１ｂは、厚さ１００ｍｍを有している。
【００３０】
このように、ユニット式建物１００の防音室１ａは、第一建物ユニット１０の内側に設けられている第二建物ユニット２０によって構成されており、この防音室１ａの周囲には、第二建物ユニット２０によって形成される遮音ラインが設けられ、２つの建物ユニットによる二重構造で防音を図っている。
つまり、本実施形態の防音構造１は、第一建物ユニット１０の内側に、その第一建物ユニット１０よりも小さなサイズの第二建物ユニット２０を配設して防音室１ａを設けたものであり、第二建物ユニット２０に第一建物ユニット１０を被せた二重構造のユニット式建物１００を構築するようにして容易に施工することができる。
【００３１】
そして、この防音室１ａは、壁２１と壁１１の二重壁で四方を囲んでなる防音構造１を有しているので、四方の壁を通じて音が室外に漏れることを防ぐことができる。また、壁２１と壁１１の間につくられる空気層によって音の振動がカットされるので、この防音構造１は優れた防音効果を発揮することができる。
また、この防音室１ａは、天井２２と天井１２の二重天井で上方を覆った防音構造１を有しているので、その天井を通じて音が室外に漏れることを防ぐことができる。
【００３２】
また、第一建物ユニット１０と第二建物ユニット２０は、それぞれ異なる基礎１０１の立上がり部に配設されており、第一建物ユニット１０を支持する第一立上がり部１１１と第二建物ユニット２０を支持する第二立上がり部１２１の間には、所定の空間として空気層１３０が設けられているので、防音室１ａの床２３を抜けた音は、第一立上がり部１１１と第二立上がり部１２１及びその間の空気層１３０によって遮断されるようになっており、その音が外に漏れることを防ぐことができる。
また、対向する第二立上がり部１２１間に亘る底部１０１ａが設けられているので、防音室１ａの床２３を抜けた音は、第二立上がり部１２１及び底部１０１ａによって遮断されるようになっており、その音が外に漏れることを防ぐことができる。
更に、第二建物ユニット２０と第二立上がり部１２１の間に、Ｄ型バッカーなどの比重の大きい目地材（バックアップ材）を介装させることで、気密防音の向上を図ることができる。
また、防音室１ａを構成する第二建物ユニット２０の壁２１間の隙間に比重の大きい目地材を充填することで、より一層の気密防音性を高めることができる。
【００３３】
また、第一建物ユニット１０の上に積層された上階建物ユニット４０には、第一建物ユニット１０の天井１２と対向する位置に遮音性を有する平面材４１ｂを有する床４１が取り付けられているので、防音室１ａの天井２２を抜けた音は、その床４１（平面材４１ｂ）によって遮断されるようになっており、その音が外に漏れることを防ぐことができる。
【００３４】
また、第一建物ユニット１０の天井１２には、第二建物ユニット２０の壁２１に対応する位置に沿うように、遮音性を有する板材５が設けられているので、防音室１ａの天井２２を抜けた音は、天井１２の板材５によって遮断されるようになっており、その音が外に漏れることを防ぐことができる。
【００３５】
以上のように、本発明に係る防音構造１は、建築現場へ運搬された第一建物ユニット１０や第二建物ユニット２０を、基礎１０１上に隣接設置してユニット式建物１００を構築するようにして容易に施工することができる。
そして、第二建物ユニット２０に第一建物ユニット１０を被せた二重構造で防音を図っているユニット式建物１００の防音構造１であれば、その四方の壁や天井、基礎１０１を通じて音が室外に漏れることを防ぐことができるので、優れた防音性能を有する防音室１ａが実用可能になる。
【００３６】
なお、以上の実施の形態においては、上部構造体として上階建物ユニット４０を用い、第一建物ユニット１０の上に上階建物ユニット４０を積層したユニット式建物１００を例に説明したが、本発明はこれに限定されるものではなく、上部構造体は第一建物ユニット１０の上に積層する屋根用ユニットやバルコニー用ユニットなどでもよく、その屋根用ユニットやバルコニー用ユニットに取り付けられた遮音性を有する平面材４１ｂが、第一建物ユニット１０の天井１２と対向する配置にあればよい。
【００３７】
また、その他、具体的な細部構造等についても適宜に変更可能であることは勿論である。
【符号の説明】
【００３８】
１      防音構造
１０    第一建物ユニット
１１    壁
１２    天井
５      板材
２０    第二建物ユニット
２１    壁
２２    天井
２３    床
３０    第三建物ユニット
４０    上階建物ユニット（上部構造体）
４１    平面材
１００  ユニット式建物
１０１  基礎
１０１ａ  底部
１１１  第一立上がり部
１２１  第二立上がり部
１３０  空気層（空間）
【図１】
0006426380.tif 000002
【図２】
0006426380.tif 000003
【図３】
0006426380.tif 000004
【図４】
0006426380.tif 000005
【図５】
0006426380.tif 000006
【図６】
0006426380.tif 000007